(57)【要約】【課題】簡易な構成によって、餌を均一に与えることができるように養殖水槽の周囲全周を開放することができるとともに、人力によって手軽に開閉することのできる水産物養殖装置における開閉カバー装置を提供する。【解決手段】養殖水槽２内で稚魚や稚エビ等の水産物を養殖するための水産物養殖装置において、養殖水槽２の上面開口には開閉カバー装置７が開閉自在に設けられ、開閉カバー装置７は、養殖水槽２の中央部上方に配設された支持軸７３を中心にして上方に開放可能な左右一対の開閉カバー７１、７２からなり、開閉カバー７１、７２は、その先端部に連結された巻上げ装置８により当該先端部を上方に持ち上げることで開閉されるように構成されている。前記開閉カバー７１、７２の先端部には、開閉カバー７１、７２の上方への開放を補助する補助手段が連結されている。【選択図】  図４
2004329126.tif 000002
【特許請求の範囲】
【請求項１】
養殖水槽内で稚魚や稚エビ等の水産物を養殖するための水産物養殖装置において、
前記養殖水槽の上面開口には開閉カバー装置が開閉自在に設けられ、当該開閉カバー装置は、養殖水槽の中央部上方に配設された支持軸を中心にして上方に開放可能な左右一対の開閉カバーからなり、各開閉カバーは、その先端部に連結された巻上げ装置により当該先端部を上方に持ち上げることで開閉されるように構成されたことを特徴とする水産物養殖装置における開閉カバー装置。
【請求項２】
前記開閉カバーの先端部には、当該開閉カバーの上方への開放を補助する補助手段が連結されたことを特徴とする請求項１記載の水産物養殖装置における開閉カバー装置。
【請求項３】
前記各開閉カバーは、分割された複数のカバー体からなる一方、前記補助手段は、これらカバー体に線状部材を介して垂下した状態で連結されたウエイト部材からなることを特徴とする請求項２記載の水産物養殖装置における開閉カバー装置。
【請求項４】
前記カバー体には、養殖水槽内から養殖水槽外への空気の流出を抑制するとともに、養殖水槽外から養殖水槽内への水滴の流入を許容する調整手段が設けられたことを特徴とする請求項１、２又は３記載の水産物養殖装置における開閉カバー装置。
【発明の詳細な説明】
【０００１】
【発明が属する技術分野】
本発明は、養殖水槽内で稚魚や稚エビ等の水産物を養殖するための養殖装置に関し、特に、養殖水槽の上面開口を開閉する開閉カバー装置に関するものである。
【０００２】
【従来の技術】
従来、稚魚や椎エビ等の水産物を養殖する水産物養殖装置としては、水や海水等を貯留した養殖水槽内においてエビ等を養殖するものが多数提供されている（例えば、特許文献１参照。）
そして、このような養殖装置においては、養殖水槽内の温度維持や、該水槽から槽外への水産物の飛び出しを防止するなどのために、養殖水槽の上面開口に開閉カバーを開閉自在に設ける場合があった。
【０００３】
【特許文献１】
実開昭６２−９１９６４号公報
【０００４】
【発明が解決しようとする課題】
しかしながら、上記従来のように開閉カバーを設ける場合、例えば開閉カバーを養殖水槽の一側縁を中心にして開閉するように構成すると、水産物に餌を与える場合に、上記養殖水槽の一側縁が上記開閉カバーの開閉中心になっているため、養殖水槽の一側縁からは上記開閉カバーが邪魔になって餌を与えることができない。従って、開閉カバーが邪魔にならない他の場所から餌を与えることになり当該餌を養殖水槽内に均一に与えるのが困難であるという問題があった。
【０００５】
また、開閉カバー全体を上方に移動させて開閉するようにすると、養殖水槽の周囲全周を開放することができるので上述した問題が解消される。しかし、開閉カバー全体を上方に持ち上げるには大きな力が必要になるため、人力では作業負担が大きく、大型のものでは持ち上げることができない場合が生じる。また、適宜な動力装置を用いて開閉カバーを上方に持ち上げることも可能であるが、装置が大がかりになるという問題があった。
【０００６】
本発明は、上記問題点に鑑みてなされたもので、その目的とするところは、簡易な構成によって、餌を均一に与えることができるように養殖水槽の周囲全周を開放することができるとともに、人力によって手軽に開閉することのできる水産物養殖装置における開閉カバー装置を提供することにある。
【０００７】
【課題を解決するための手段】
請求項１に係る発明の水産物養殖装置における開閉カバー装置は、養殖水槽内で稚魚や稚エビ等の水産物を養殖するための水産物養殖装置において、前記養殖水槽の上面開口には開閉カバー装置が開閉自在に設けられ、当該開閉カバー装置は、養殖水槽の中央部上方に配設された支持軸を中心にして上方に開放可能な左右一対の開閉カバーからなり、各開閉カバーは、その先端部に連結された巻上げ装置により当該先端部を上方に持ち上げることで開閉されるように構成されたものである。
【０００８】
請求項２に係る発明の水産物養殖装置における開閉カバー装置は、前記開閉カバーの先端部に、当該開閉カバーの上方への開放を補助する補助手段が連結されたものである。
【０００９】
請求項３に係る発明の水産物養殖装置における開閉カバー装置は、前記各開閉カバーが、分割された複数のカバー体からなる一方、前記補助手段が、これらカバー体に線状部材を介して垂下した状態で連結されたウエイト部材からなるものである。
【００１０】
請求項４に係る発明の水産物養殖装置における開閉カバー装置は、前記カバー体に、養殖水槽内から養殖水槽外への空気の流出を抑制するとともに、養殖水槽外から養殖水槽内への水滴の流入を許容する調整手段が設けられたものである。
【００１１】
【発明の実施の形態】
以下、本発明の実施の形態を図面を参照して説明する。
【００１２】
図１は、水産物養殖装置の全体構成を示す平面図である。
【００１３】
水産物養殖装置１は、例えば稚魚や稚エビ等の水産物を養殖するためのもので、養殖水槽２と、造波装置３と、水浄化ユニット４とがビニールハウス１１等の構造物で囲まれるようにして構築されている。
【００１４】
養殖水槽２は、図１及び図２に示すように、外周がコンクリートからなる縁石２ａで囲まれ、平面形状が長方形で所定の深さに形成されている。養殖水槽２の中央には溝が長辺方向に延長するように設けられ、この溝に水中ベルトコンベア２１が設置されている。
【００１５】
養殖水槽２の底面２ｂは、中央の上記水中ベルトコンベア２１に向けて矢印Ｐ方向に傾斜するように形成されるとともに、両側面２ｃも傾斜面として形成されている。上記底面２ｂと両側面２ｃは、図２に示すように整地された地表面上に発泡スチロール等の断熱材２２が敷設され、この断熱材２２上に防水シート２２ａが敷設されて構築されている。
【００１６】
また、養殖水槽２では、図２に示すように、長辺方向の縁石２ａ、２ａ間に亘って複数本の紐やワイヤ等の線部材２３が所定間隔を隔てて張設されており、この線部材２３に複数の人工海藻２４が吊るされている。これら人工海藻２４の各下端は、底面２ｂに接触する一方、前記水中ベルトコンベア２１には接触しないように設けられている。
【００１７】
また、線部材２３には、これを浮遊させるためのブイ２３ａが所定間隔を隔てて複数接続されており、水面の波動によりブイ２３ａが上下前後に揺れ、これにより人工海藻２４も揺動するようになっている。
【００１８】
前記造波装置３は、例えば養殖水槽２の長手方向側の一側縁に設けられた造波槽３１と、造波槽３１の前方となる養殖水槽２内に配置された整流板３５とを備えている。
【００１９】
造波槽３１は、底面が養殖水槽２の水面よりも高い位置になるように配置されており、この水面と対峙する一側面に放出扉が開閉自在に設けられている。
【００２０】
上記整流板３５は、平板状のもので、養殖水槽２の水面下の所定深さの位置に当該水面に沿って略平行な状態で、適宜な支持部材を介して上記放出扉の手前から所定長さ前方に亘って配設されている。
【００２１】
この整流板３５の上記長さ、並びに水面下の深さ位置は、造波槽３１からの水等の放出による造波作用が最も得られるように設定している。
【００２２】
従って、放出扉を閉じて造波槽３１に所定量の水等を貯水した後に当該放出扉を開放する。これにより、造波槽３１内の水は、整流板３５を設けた水面に一挙に放出されて波を発生させ、この波が水面上において養殖水槽２の他側縁側に移動する。上述ように構成された造波装置３は、後述するバイオ浄化槽４２に対応して２個一組が設けられている。
【００２３】
前記水浄化ユニット４は、前記養殖水槽２に連通されて中央に配置された集水槽４１と、集水槽４１の両側に隔壁で画されて設けられたバイオ浄化槽４２と、集水槽４１から養殖水槽２の水を引き上げてバイオ浄化槽４２との間に水頭差を作るためのポンプ４３と、ポンプ４３を介して集水槽４１から水が流れ込む分配槽４４と、養殖水槽２から取り除かれた塵が混入した汚染水を溜めて塵と水とを分離するための沈殿槽４５とを備えている。
【００２４】
集水槽４１には、養殖水槽２から導入された水（汚染水）に含まれる菌類を殺菌するための紫外線殺菌装置（図示省略）が沈設されている。
【００２５】
また、分配槽４４とバイオ浄化槽４２とを画する隔壁４４ａには、下端付近に連通する孔（図示せず）が設けられており、この孔を通して水は分配槽４４の下端域からバイオ浄化槽４２の下端域に流入する。
【００２６】
バイオ浄化槽４２は、バイオフィルターと称する薄い板材（図示せず）をハニカム状に組み合わせ、下方から上方に水の流通する間隙を有する構造になっており、これにより分配槽４４から流入した養殖水槽２の水は、バイオフィルターの各壁面に沿って上昇し、当該水中に残留する菌類や塵がバイオフィルターに付着している微生物により分解されて浄化される。
【００２７】
また、このバイオ浄化槽４２には、バイオフィルターを逆洗するための逆洗装置（図示省略）が設けられており、例えば１ヶ月に１回程度の間隔で逆洗することで、バイオ浄化槽４２を清掃しその浄化能力を保持するようにしている。なお、逆洗により剥離された付着物等の塵はバイオ浄化槽４２から沈殿槽４５に導かれる。
【００２８】
そして、このバイオ浄化槽４２で浄化された水は隔壁４２ａを越えて前記造波槽３１に導入するようにしている。
【００２９】
また、沈殿槽４５において、槽内底部に溜まった塵は汚泥として除去され、水は図示しない排水ポンプにより配管（図示省略）を介して水耕栽培ハウス６に導かれる。
【００３０】
一方、前記水中ベルトコンベヤ２１の搬送端部から集水槽４１にかけては、マイクロスクリーン５１等からなる搬送装置５が架設されており、この搬送装置５により水中ベルトコンベヤ２１で運ばれた水中内の塵を水上に引き上げて、当該塵の取り除きに用いた水とともに沈殿槽４５に導入する。
【００３１】
さらに、この養殖装置には、溶存酸素が冨化された水を生成するための富酸素水発生ユニット（図示省略）が設けられており、富酸素水発生ユニットから配管を介して養殖水槽２内に送られて底面付近から供給される。
【００３２】
前記水耕栽培ハウス６は、図示しないが、例えばビニールハウス内に水路を設け、この水路を一端から他端に向けて水深１０ｃｍ程度を確保して流れるように水勾配が設けられたものである。この水路の上流側に前記沈殿槽４５の汚水を導入し、水路の下流側から排水管を通じて流れ出る水を再び水浄化ユニット４の集水槽４１などに還流している。このように水耕栽培ハウス６からの排水を浄化ユニットに還流させれば、たとえ水耕栽培で菌類が水に混入したとしても、ほぼ無菌状態まで浄化されるので、再び、養殖水槽２で使用することが可能になる。
【００３３】
次に、このように構成された水産物養殖装置の作用について説明する。
【００３４】
バイオ浄化槽４２から造波槽３１内に導入された水が所定量溜まったら、放出扉を開放させて養殖水槽２内に波を発生させる。
【００３５】
この波によりブイ２３ａ、線部材２３を通じて人工海藻２４が揺動する。このとき人工海藻２４の下端は養殖水槽２の底面２ｂに接触しているため、人工海藻２４の下端が揺れると、養殖水槽２の底面２ｂに沈んだ水産物の排泄物、抜け殻、死骸、餌の食べ残し等の塵は動かされて、塵は底面２ｂの勾配に導かれて水中ベルトコンベア２１に達し、この水中ベルトコンベア２１の搬送端まで搬送される。
【００３６】
そして、この搬送端部において搬送装置５により塵が水上に引き上げられ、この塵の取り除きに用いた水とともに塵が沈殿槽４５に送られる。
【００３７】
一方、養殖水槽２に通じる集水槽４１では、養殖水槽２の一部の水が紫外線殺菌装置により殺菌された後にポンプ４３で引き上げられて分配槽４４に送られ、さらに、分配槽４４からバイオ浄化槽４２の下方に流れ込む。バイオ浄化槽４２において、水はバイオフィルターを通って上昇し当該バイオフィルター表面の微生物に分解されて浄化される。この浄化された水は、バイオ浄化槽４２から隔壁４２ａの上端を越えて造波槽３１に流れ込み、ここで所定量に達するまで溜められた後、上述したように造波装置３によって養殖水槽２内に還流させられる。
【００３８】
また、造波装置３で養殖水槽２内に波を発生させることで、人工海藻２４を揺動させると、稚エビは、この波による水流に抵抗しようとすると共に、人工海藻２４にしがみつこうとするため、これが稚エビにとって適度な運動となり、身が引き締まって身質が良好なものになる。
【００３９】
さらに、造波装置３で養殖水槽２内に波を発生させることで、水の表層には所定方向に向かう水流が生じ、この流れが養殖水槽２の他側縁で返されて、水の底層には逆方向に向かう水流が生じ、これらにより養殖水槽２内では循環する水の流れが生じる。従って、水中ベルトコンベア２１の作用と併せることにより、養殖水槽２内の塵を効率良く所定箇所に集められ、塵が効率的に排出されることで、水の劣化が抑えられ、水産物における病気の発生が抑制される。
【００４０】
ところで、このように構成された水産物養殖装置において、前記養殖水槽２には図３に示すように開閉カバー装置７が設けられている。
【００４１】
開閉カバー装置７は、養殖水槽２の上面開口を開閉するためのもので、この養殖水槽２の幅方向中央部で左右に分割された一対の開閉カバー７１、７２を備えている。具体的には、上記幅方向中央の上方に長手方向に亘って支持軸７３が設けられ、この支持軸７３にこれら開閉カバー７１、７２の隣接する各基端縁部が回動自在に連結されている。
【００４２】
支持軸７３は、その軸方向に所定間隔を隔てて設けられた複数の吊下部材７３ａにより構造物の梁などに上方から吊り下げた状態で支持されている。
【００４３】
開閉カバー７１、７２は、図４に示すように分割された複数のカバー体７４で構成されている。これらカバー体７４は、パイプなどからなる枠状体７４ａにフィルム７４ｂが張設されてなり、その基端部がヒンジ７４ｃを介して上記支持軸７３に回動自在に支持されるとともに、基端部から先端部にかけて下方に湾曲して形成され、当該先端部が養殖水槽２の長手方向側の縁石２ａ上面に上方から接地した状態で配置されている。
【００４４】
また、上記開閉カバー７１、７２の両端に配置された各カバー体７４には、その外側縁に例えば前記フィルム７４ｂと同様な材質でできた側方カバー７４ｄがそれぞれ垂下されており、この側方カバー７４ｄにより開閉カバー７１、７２の両端と養殖水槽２の縁石２ａ上面との間に形成された開口部を被覆するようにしている。
【００４５】
そして、このように構成された開閉カバー７１、７２には、当該開閉カバー７１、７２の開閉を行うための巻き上げ装置８と補助手段９とが連結されている。
【００４６】
巻き上げ装置８は、図４に示すように、開閉カバー７１、７２を構成する各カバー体７４の先端部の上方に当該先端部に沿って水平に設けられた回転軸８１と、この回転軸８１を回転させる作動部材８２と、回転軸８１と各カバー体７４の先端部との間に連結されて回転軸８１の回転により各カバー体７４を開閉する連結部材８３とで構成されている。
【００４７】
回転軸８１は、構造物側に設けられた図示しない取付部材を介して垂設された複数の支持材８１ａにより回転自在に支持されている。
【００４８】
作動部材８２は、チェーン８２ａを通じて正逆方向に回転自在なキャリードラム８２ｂからなり、当該キャリードラム８２ｂを回転させることでこれと同じ方向に上記回転軸８１を回転させるように構成されている。
【００４９】
連結部材８３は、各カバー体７４に対応して上記回転軸８１の途中部にドラム８３ａが設けられるとともに、このドラム８３ａにワイヤ等の線状部材８３ｂが巻き取り・繰り出し可能に巻回されてなり、各線状部材８３ｂの先端部がカバー体７４の先端部に設けられた紐状の連結部材７４ｅを介して当該カバー体７４の先端部に連結されている。
【００５０】
従って、作動部材８２により回転軸８１を通じてドラム８３ａを回転させ、線状部材８３ｂを巻き取ることによって各カバー体７４を支持軸７３を中心にして同調させながら上方に回動させることができ、また、逆に線状部材８３ｂを繰り出すことによって各カバー体７４を支持軸７３を中心にして同調させながら下方に回動させることができ、これにより養殖水槽２の上面開口に対して開閉カバー７１、７２を開閉することができる。
【００５１】
一方、補助手段９は、前記作動部材８２による開閉カバー７１、７２の開放を補助するためのもので、図３に示すように、前記各カバー体７４の前記連結部材７４ｅにワイヤ等の線状部材９１の一端が連結されるとともに、該線状部材９１の他端にウエイト部材９２が連結されている。つまり、連結部材７４ｅは、補助手段９及び前記巻き上げ装置８とカバー体７４とを連結するために兼用されており、補助手段９と巻き上げ装置８とは実際には併設されているが、説明の便宜上、図３に補助手段９を示し、図４に巻き上げ装置８を示している。
【００５２】
線状部材９１は、一端部側が上方に立上げられて構造物側に設けられた滑車９３を通じて側方に導かれ、この側方上部において同じく構造物側に設けられた滑車９４を通じて下方に垂下されており、当該垂下された他端に前記ウエイト部材９２が吊り下げられている。これにより、ウエイト部材９２の荷重は、線状部材９１を通じて各カバー体７４を開放する方向に作用し、各カバー体７４の自重によって閉塞方向に作用する力を軽減するようにしている。
【００５３】
この結果、複数のカバー体７４で構成されて全体として重量が重い開閉カバー７１、７２でも小さな力によって開放させることができ、作動部材８２による開放作業を負担なく円滑に行うことができる。
【００５４】
なお、ウエイト部材９２を重くすることでカバー体７４を軽い力で開放することができる反面、あまりウエイト部材９２を重くすると閉塞時の下方への回動に時間を要して支障をきたすことから、開放時の負荷と閉塞時の回動動作とを考慮してウエイト部材９２の重さを設定する必要があり、例えば１Ｋｇ程度の力でカバー体７４を開放できるように設定している。
【００５５】
このように養殖水槽２の上部空間を有効に利用して簡単な構成によって左右の開閉カバー７１、７２を中央の支持軸７３を中心にして開閉自在に設けたことにより、当該開閉カバー７１、７２を開放した場合には、養殖水槽２の周囲全周を開放することができる。従って、上記周囲全周から養殖水槽２に餌を均一に与えることができ、稚エビ等の養殖効果を高めることができるとともに、開閉カバー７１、７２の開放が上述したように負担なく人力によって手軽に行うことができ、作業性がよい。
【００５６】
さらに、前記カバー体７４のフィルム７４ｂには、図４に示すように調整手段としての十字状の比較的小さな切欠７５が全面に亘って複数設けられている（図４では一部のみを図示している。）。この切欠７５は、通常は当該切欠７５部分が下方に垂れ下がることなく略閉塞した状態になっている。これにより閉塞カバー７１、７２で閉塞した状態では、上記切欠７５を通じての養殖水槽２内から養殖水槽２外への内部空気の流出が殆ど無いように抑制されており、養殖水槽２内を予め設定した所定温度に維持管理することができる。
【００５７】
一方、フィルム７４ｂの上面周辺で水滴が発生した場合には、この水滴の重みにより切欠７５部分が下方に垂れ下がり養殖水槽２内への水滴の流入を許容することから、当該水滴を切欠７５から養殖水槽２内に落下させることができる。これによりフィルム７４ｂの上面に溜まった水滴の重みにより当該フィルム７４ｂが部分的に下方に伸びて垂れ下がるのを防止できるとともに、溜まった水滴によりカバー体７４が重くなるのを防止できるので、カバー体７４の開放動作に支障をきたすことがなく、上述したように各カバー体７４の開放を円滑に行うことができる。
【００５８】
【発明の効果】
以上述べたように、本発明の水産物養殖装置における開閉カバー装置によれば、養殖水槽の上部空間を有効に利用して簡単な構成によって左右の開閉カバーを中央の支持軸を中心にして開閉自在に設けたことにより、当該開閉カバーを開放した場合には、養殖水槽の周囲全周を開放することができ、上記周囲全周から養殖水槽に餌を均一に与えることができ、稚エビ等の養殖効果を高めることができる。
【００５９】
また、開閉カバーの上方への開放を補助する補助手段を設けることで、開閉カバーの開放が負担なく手軽に行うことができ、作業性がよい。
【図面の簡単な説明】
【図１】水産物養殖装置の全体構成を示す平面図である。
【図２】図１におけるＡ−Ａ断面図である。
【図３】本発明の主要部をなす開閉カバー装置を示す概略の正面図である。
【図４】同じく開閉カバー装置を示す斜視図である。
【符号の説明】
１  水産物養殖装置
２  養殖水槽
７  開閉カバー装置
７１、７２  開閉カバー
７３  支持軸
７４  カバー体
７４ｂ  フィルム
７５  切欠（調整手段）
８  巻き上げ装置
９  補助手段
９１  線状部材
９２  ウエイト部材
【図１】
2004329126.tif 000003
【図２】
2004329126.tif 000004
【図３】
2004329126.tif 000005
【図４】
2004329126.tif 000006